(57)【要約】【課題】簡単に撮影禁止の状態にできるデジタルカメラを低コストで実現する。【解決手段】デジタルカメラ１０を撮影禁止の状態にするためのＱＲコードのデータと撮影禁止を解除するためのＱＲコードのデータとを特定画像情報記憶部１６に記憶させておく。画像取得部１１で取得した画像に撮影禁止の状態にするためのＱＲコードの画像が含まれいるか否かをＣＰＵ１４は判断し、撮影禁止の状態にするためのＱＲコードの画像が含まれいる場合には、画像取得部１１で取得した画像の記録を禁止する。撮影禁止の状態のデジタルカメラ１０で取得した画像に、撮影禁止を解除するためのＱＲコードの画像が含まれている場合に、撮影禁止を解除する。【選択図】図１
2007266882.tif 000002
【特許請求の範囲】
【請求項１】
画像の取込みと該画像の記録とを含む撮影を行う撮影手段と、
前記撮影手段に取込まれた画像に特定画像が含まれているか否かを判断する判断手段と、
前記撮影手段に取込まれた画像に前記特定画像が含まれていると判断された場合に、それ以降、所定の処理が行われるまで前記記録を禁止する撮影禁止手段と、
を備えることを特徴とする撮像装置。
【請求項２】
前記撮影禁止手段が前記記録を禁止した場合に、前記所定の処理に関する情報を出力する禁止解除情報出力手段を備えることを特徴とする請求項１に記載の撮像装置。
【請求項３】
前記所定の処理は、前記撮影手段に所定の画像を取込ませる処理であることを特徴とする請求項１又は２に記載の撮像装置。
【請求項４】
パスワードを入力する入力手段を備え、
前記撮影禁止手段は、前記入力手段から所定のパスワードが入力されることを前記所定の処理とすることを特徴とする請求項１又は２に記載の撮像装置。
【請求項５】
前記判断手段は、撮影手段に取込まれた画像から特定画像と推定される画像を検出し、特定画像と推定される画像に所定の変換処理を施した後に、該変換処理の結果で得られた画像に対して認識を行い、前記撮影手段に取込まれた画像に特定画像が含まれているか否かを判断することを特徴とする請求項１乃至４のいずれか１項に記載の撮像装置。
【請求項６】
前記特定画像は、ＱＲコードの画像であることを特徴とする請求項１乃至５のいずれか１項に記載の撮像装置。
【請求項７】
前記特定画像は、特定の人の顔の画像であることを特徴とする請求項１乃至５のいずれか１項に記載の撮像装置。
【請求項８】
画像の取込みと該画像の記録とを含む撮影を行う撮影手段を備える撮像装置に対し、
前記撮影手段に取込まれた画像に特定画像が含まれているか否かを判断する判断処理と、
前記撮影手段に取込まれた画像に前記特定画像が含まれていると判断された場合に、それ以降、所定の処理が行われるまで前記記録を禁止する撮影禁止処理と、
を行うことを特徴とする撮影制限方法。
【請求項９】
画像の取込みと該画像の記録とを含む撮影を行う撮影手段と共に撮像装置に組込まれたコンピュータに、
前記撮影手段に取込まれた画像に特定画像が含まれているか否かを判断する判断処理と、
前記撮影手段に取込まれた画像に前記特定画像が含まれていると判断された場合に、それ以降、所定の処理が行われるまで前記記録を禁止する撮影禁止処理と、
を実施させるための撮影制限プログラム。
【発明の詳細な説明】
【技術分野】
【０００１】
本発明は、撮像装置、撮影制限方法、及び撮影制限プログラムに関する。
【背景技術】
【０００２】
一般のカメラは、任意の場所で被写体を撮像することができるが、下記特許文献１には、撮影禁止区域内では自動的に撮影を禁止する携帯型電子機器が記載されている。
【特許文献１】特開２００５−１０９９５６号公報
【０００３】
特許文献１の携帯型電子機器はカメラ機能を備え、撮影禁止区域内に配置された撮影禁止用無線基地局から送信された撮影禁止用メッセージを無線通信手段で受信し、当該携帯型電子機器の有するカメラ機能を強制的に無効にする。
【発明の開示】
【発明が解決しようとする課題】
【０００４】
特許文献１に記載された技術によれば、撮影を禁止させるためには、撮影禁止用無線基地局を配置すると共に、携帯型電子機器にアンテナを組込む必要があった。撮影禁止用無線基地局を配置するにはコストがかかるばかりでなく、一般に通常金属ケースに収容された携帯型電子機器に、アンテナを組込むことは困難であった。
【０００５】
本発明は、以上のような現状に鑑みてなされた発明であり、簡単に撮像を制限することが可能な撮像装置、撮影制限方法、及び撮影制限プログラムを提供することを目的とする。
【課題を解決するための手段】
【０００６】
上記目的を達成するために、本発明の第１の観点に係る撮像装置は、
画像の取込みと該画像の記録とを含む撮影を行う撮影手段と、
前記撮影手段に取込まれた画像に特定画像が含まれているか否かを判断する判断手段と、
前記撮影手段に取込まれた画像に前記特定画像が含まれていると判断された場合に、それ以降、所定の処理が行われるまで前記記録を禁止する撮影禁止手段と、
を備えることを特徴とする。
【０００７】
なお、前記撮影禁止手段が前記記録を禁止した場合に、前記所定の処理に関する情報を出力する禁止解除情報出力手段を備えてもよい。
【０００８】
また、前記所定の処理は、前記撮影手段に所定の画像を取込ませる処理であってもよい。
【０００９】
また、パスワードを入力する入力手段を備え、
前記撮影禁止手段は、前記入力手段から所定のパスワードが入力されることを前記所定の処理としてもよい。
【００１０】
また、前記判断手段は、撮影手段に取込まれた画像から特定画像と推定される画像を検出し、特定画像と推定される画像に所定の変換処理を施した後に、該変換処理の結果で得られた画像に対して認識を行い、前記撮影手段に取込まれた画像に特定画像が含まれているか否かを判断しもよい。
【００１１】
また、前記特定画像は、ＱＲコードの画像であってもよい。
【００１２】
また、前記特定画像は、特定の人の顔の画像であってもよい。
【００１３】
上記目的を達成するために、本発明の第２の観点に係る撮影制限方法は、
画像の取込みと該画像の記録とを含む撮影を行う撮影手段を備える撮像装置に対し、
前記撮影手段に取込まれた画像に特定画像が含まれているか否かを判断する判断処理と、
前記撮影手段に取込まれた画像に前記特定画像が含まれていると判断された場合に、それ以降、所定の処理が行われるまで前記記録を禁止する撮影禁止処理と、
を行うことを特徴とする。
【００１４】
上記目的を達成するために、本発明の第３の観点に係る撮影制限用プログラムは、
画像の取込みと該画像の記録とを含む撮影を行う撮影手段と共に撮像装置に組込まれたコンピュータに、
前記撮影手段に取込まれた画像に特定画像が含まれているか否かを判断する判断処理と、
前記撮影手段に取込まれた画像に前記特定画像が含まれていると判断された場合に、それ以降、所定の処理が行われるまで前記記録を禁止する撮影禁止処理と、
を実施させることを特徴とする。
【発明の効果】
【００１５】
本発明によれば、撮影禁止区域であることを撮像装置に知らせる装置を配置する必要がなく、その装置との通信を行うためのアンテナを撮像装置に設ける必要がなくなり、低コストで簡単に撮影禁止が可能になる。
【発明を実施するための最良の形態】
【００１６】
以下、図面に基づき、本発明の実施の形態について詳細に説明する。
（実施形態１）
図１は、本発明の実施形態１に係るデジタルカメラ１０を示す構成図である。
【００１７】
このデジタルカメラ１０は、画像の取込みと記録媒体への記録とを行う撮像装置であると共に、特定のＱＲコードの画像を含む画像が取込まれた場合には画像の記録を禁止する機能を持っている。
【００１８】
デジタルカメラ１０は、画像を取得する画像取得部１１と、操作部１２と、表示部１３と、ＣＰＵ（Central Processing Unit）１４と、プログラム記憶部１５と、特定画像情報記憶部１６と、イメージ記憶部１７と、記録部１８と、作業用メモリ１９と、データ入出力部２０とを備え、これらがバス等で接続されている。
画像取得部１１は、レンズ、レンズで結像された画像を撮像するＣＣＤ等の撮像素子、撮像素子の出力信号をデジタル信号に変換するアナログデジタル変換回路とを備え、レンズを介して入力された画像を取込んで、該画像に対応するデジタル信号を生成する。
【００１９】
操作部１２は、撮影に必要なシャッターボタン、動作モードの変更やパスワードや各種情報の入力に必要な操作ボタン等で構成され、デジタルカメラ１０の筐体から操作可能に露出して配置されている。操作部１２の操作ボタンの数は、デジタルカメラ１０の備える機能に応じて決められている。また、その操作部１２によって、パスワード等を入力可能にしてもよい。
【００２０】
表示部１３は、ファインダ画面や、記録部１８で記録された画像等を表示するものであり、液晶ディスプレイ等で構成されている。
【００２１】
ＣＰＵ１４は、プログラム記憶部１５に記憶されたプログラムに基づいて動作し、デジタルカメラ１０の各部の動作を制御する。ＣＰＵ１４は、さらに、特定のＱＲコードの画像を含む画像が取込まれた場合に、その画像からＱＲコード上のデータを読み取ってデジタルカメラ１０に画像の記録を禁止する機能を持っている。なお、プログラム記憶部１５へのプログラムの書き込みには、ＣＤ−ＲＯＭ等の記憶媒体からプログラムを転写して書き込むようにしてもよいし、プログラム記憶部１５を作成する段階でプログラムを書き込んでおいてもよい。
【００２２】
特定画像情報記憶部１６はＲＡＭ（Random Access Memory）等で構成され、前述の特定のＱＲコードの示すデータや撮影禁止の状態を解除するための情報を記憶する。この特定画像情報記憶部１６に、データや情報を記憶させる方法は、後述する。
【００２３】
イメージ記憶部１７はＲＡＭ等で構成され、デジタルカメラ１０で取得した画像に相当するデータを一時的に記憶する。
【００２４】
記録部１８は、フラッシュメモリ等の図示しない記録媒体に画像を入出力するものである。
【００２５】
作業メモリ１９は、ＣＰＵ１４がアクセスして各種処理をするために用いるメモリである。この作業メモリ１９と特定画像情報記憶部１６とを共通のＲＡＭで構成してもよい。
【００２６】
データ入出力部２０はレセプタクルコネクタ等で構成され、デジタルカメラ１０と外部との間のデータの送受信を中継する。
【００２７】
次に、図１のデジタルカメラの動作を説明する。
このデジタルカメラ１０は、画像取得部１１で取込んだ画像に特定のＱＲコードの画像が含まれている場合、その画像を含めて以降の撮影ができない状態（撮影禁止の状態）になり、さらに別の特定のＱＲコードの画像を画像取得部１１が取込んだときに撮影が再び可能になる。
【００２８】
撮影させたくない対象がある場合、デジタルカメラ１０を撮影禁止の状態にするためのＱＲコードをその対象に添付すると共に、撮影禁止を解除するためのＱＲコードを別の場所に配置しておく。撮影させたくない対象が人である場合には、その人の服にＱＲコードを添付或いは印刷してもよい。
【００２９】
デジタルカメラ１０を撮影禁止の状態にするためのＱＲコードと撮影禁止を解除するためのＱＲコードとは、事前にデジタルカメラ１０に登録される。例えば撮影させたくない対象が配置されている会場に撮影者が入る場合に、その会場の入口で、撮影禁止の状態にするためのＱＲコードと撮影禁止を解除するためのＱＲコードは登録される。
【００３０】
これらのＱＲコードをデジタルカメラ１０を登録する際には、操作部１２を操作してＱＲコードを登録するモードに設定し、外部からデータ入出力部２０を介して、ＱＲコードに示されるデータを入力する。ＣＰＵ１４は、データ入出力部２０から与えられたＱＲコードに示されるデータを、ＱＲコードを特定するためのデータとして特定画像情報記憶部１６に記憶させる。
【００３１】
デジタルカメラ１０で撮影を行う場合、撮影者は操作部１２のボタン等を操作して撮影モードに設定する。以下に、撮影モードにおけるデジタルカメラ１０の使用方法と動作を図２を参照して説明する。図２は、撮影モードにおける処理を示すフローチャートである。
【００３２】
画像取得部１１は、レンズによって結像された画像を撮像素子でアナログの電気信号に変換し、アナログの電気信号をアナログデジタル変換回路によりデジタル信号に変換する。ＣＰＵ１４は画像取得部１１から与えられたデジタル信号に基づき表示部１３のディスプレイを駆動してレンズから入力された画像に相当する画像を表示する。
【００３３】
撮影者は、表示部１３に表示される画像を見ながら操作部１２のシャッタボタンを押下する（ステップＳ１）。シャッタボタンが押下された時点でレンズを介して入力された画像は、画像取得部１１によってデジタルデータ化され、イメージ記憶部１７に記憶される（ステップＳ２）。即ち、画像の取込みが行われる。
【００３４】
ＣＰＵ１４は、イメージ記憶部１７に格納された画像に、ＱＲコードと思われる画像が含まれているか否かを判断する（ステップＳ３）。この判断は、画像中に写っているものの色情報や輪郭等に基づいて総合的に行われる。
【００３５】
イメージ記憶部１７に格納された画像にＱＲコードと思われる画像が含まれていると判断した場合（ステップＳ３：ＹＥＳ）、ＣＰＵ１４は、ＱＲコードと思われる部分をイメージ記憶部１７から切り出し作業用メモリ１９に記憶させる。そして、ＣＰＵ１４は、作業用メモリ１９に記憶させた画像について、必要に応じて補正を行う（ステップＳ４）。
【００３６】
ＱＲコードが添付された対象を撮影する場合、ＱＲコードの表面が画像取得部１１のレンズの軸に対して垂直になっていないことや、ＱＲコードの位置がレンズの光軸からずれていることが多い。これらの場合、画像上のＱＲコードの形状が、正規な形状の矩形になっていない。また、画像上のＱＲコードの大きさも、画像取得部１１からの距離に応じて変化する。そこで、ＣＰＵ１４は、ＱＲコードの認識ができるように、作業用メモリ１９に記憶された画像を補正し、画素の間引きや補間により正規な矩形に直すと共に、適当な大きさに変換する。
【００３７】
続いてＣＰＵ１４は、補正されたイメージ記憶部１７の画像を二値化し、二値化した画像に対してＱＲコードの認識を行う。ＱＲコードの認識では、矩形の各頂点からの距離が所定値になる場所の画素の値を読取り、ＱＲコードに示されているデータを認識する（ステップＳ５）。
【００３８】
ステップＳ５で認識結果が得られたときに、ＣＰＵ１４は、特定画像情報記憶部１６を調べ、その認識結果が、撮影禁止の状態にするためのＱＲコードのデータと一致するか否かを判定する（ステップＳ６）。
【００３９】
ステップＳ６で一致すると判定した場合（ステップＳ６：ＹＥＳ）、ＣＰＵ１４は、記録部１８での記録をできない状態にする。即ち、デジタルカメラ１０を撮影禁止の状態に設定する（ステップＳ７）。このとき、表示部１３に例えば撮影禁止の状態になったことや、その状態を解除するための方法を表示し、撮影者に知らせる。
【００４０】
なお、シャッタボタンの押下で取込んだ画像に、ＱＲコードと思われる画像が含まれていない場合（ステップＳ３：ＮＯ）、及びステップＳ５の認識結果が、撮影禁止の状態にするためのＱＲコードのデータと一致しない場合（ステップＳ６：ＮＯ）には、デジタルカメラ１０に取込まれてイメージ記憶部１７に記憶されている画像を記録部１８で記録させる（ステップＳ８）。
【００４１】
撮影禁止の状態になっているデジタルカメラ１０を、撮影可能の状態に戻す場合には、撮影禁止を解除するためのＱＲコードを撮影すればよい。
図３は、撮影禁止を解除する処理を示すフローチャートである。
撮影禁止を解除するためのＱＲコードは、例えば撮影させたくない対象が配置されている会場の出口やその会場内の適当な場所に配置しておくことができる。
撮影禁止の状態になっているデジタルカメラ１０を持った撮影者は、撮影禁止を解除するためのＱＲコードにデジタルカメラ１０のレンズを向けてシャッタボタンを押下する（ステップＳ１１）。
【００４２】
シャッタボタンが押下された時点でレンズを介して入力された画像は、画像取得部１１によってデジタルデータ化され、イメージ記憶部１７に記憶される（ステップＳ１２）。
【００４３】
ＣＰＵ１４は、イメージ記憶部１７に格納された画像に、ＱＲコードと思われる画像が含まれているか否かを判断する（ステップＳ１３）。この判断は、画像中に写っているものの色情報や輪郭等に基づいて総合的に行われる。
【００４４】
イメージ記憶部１７に格納された画像にＱＲコードと思われる画像が含まれていると判断した場合（ステップＳ１３：ＹＥＳ）、ＣＰＵ１４は、ＱＲコードと思われる部分をイメージ記憶部１７から切り出し作業用メモリ１９に記憶させる。そして、ＣＰＵ１４は、作業用メモリ１９に記憶させた画像について、必要に応じて補正を行い、ＱＲコードの認識ができるように、正規な矩形に直すと共に、適当な大きさに変換する（ステップＳ１４）。
【００４５】
続いてＣＰＵ１４は、補正されたイメージ記憶部１７の画像を二値化し、二値化した画像に対してＱＲコードの認識を行う。ＱＲコードの認識では、矩形の各頂点からの距離が所定値になる場所の画素の値を読取り、ＱＲコードに示されているデータを認識する（ステップＳ１５）。
【００４６】
ステップＳ１５で認識結果が得られたときに、ＣＰＵ１４は、特定画像情報記憶部１６を調べ、その認識結果が、撮影禁止を解除するためのＱＲコードのデータと一致するか否かを判定する（ステップＳ１６）。
【００４７】
ステップＳ１６で一致すると判定した場合（ステップＳ１６：ＹＥＳ）、ＣＰＵ１４は、記録部１８で記録をできる状態にする。即ち、デジタルカメラ１０の撮影禁止の状態を解除する（ステップＳ１７）。
【００４８】
なお、シャッタボタンの押下で取込んだ画像に、ＱＲコードと思われる画像が含まれていない場合（ステップＳ１３：ＮＯ）、及びステップＳ１５の認識結果が、撮影禁止を解除にするためのＱＲコードのデータと一致しない場合（ステップＳ１６：ＮＯ）には、表示部１３に撮影禁止の状態が解除されていないことを表示し（ステップＳ１８）、処理を終了する。即ち、表示部１３が禁止解除情報出力手段となる。
以上のように、本実施形態のデジタルカメラ１０には、次のような利点を有する。
【００４９】
（１）  図４には、ＱＲコードが衣服に印刷された人物が示されているが、このＱＲコードがデジタルカメラ１０を撮影禁止の状態にするＱＲコードの場合、デジタルカメラ１０でその人物を撮影しようとしても、デジタルカメラ１０が自動的に撮影禁止の状態になり、盗撮が防げる。
【００５０】
（２）  デジタルカメラ１０での撮影を禁止するために、デジタルカメラ１０にアンテナを設けたり、デジタルカメラ１０と無線通信する装置を設ける必要がなく、低コストでデジタルカメラ１０を撮影禁止の状態にできる。
【００５１】
（３）  撮影禁止の状態にするためのＱＲコードを登録するだけで、デジタルカメラ１０を撮影禁止の状態にできるので、デジタルカメラ１０を撮影禁止の状態にするための条件の設定が容易である。
【００５２】
（４）  撮影禁止の状態を解除するためのＱＲコードを登録するだけで、撮影禁止の状態のデジタルカメラ１０を解除できるので、撮影禁止を解除するための条件の設定が容易である。
【００５３】
（５）  ＱＲコードは二次元バーコードの一種であり、印刷や添付が容易である。そのため、種々の対象物を撮影禁止にすることができる。
【００５４】
（６）  撮影禁止の状態になったときには、撮影禁止を解除する方法を表示部１３に表示するので、撮影者が誤りなく、撮影禁止の解除を行うことができる。
（７）  作業用メモリ１９に切り出した画像を補整してから、ＱＲコードの認識を行うので、認識の誤りを防ぐことができる。
【００５５】
（実施形態２）
図５は、本発明の実施形態２に係るデジタルカメラ３０を示す構成図である。
【００５６】
このデジタルカメラ３０は、特定の人物の画像を含む画像が取込まれた場合には画像の記録を禁止する機能を持っている。
【００５７】
デジタルカメラ３０の基本的構成は、実施形態１のデジタルカメラ１０と同様であり、画像を取得する画像取得部３１と、操作部３２と、表示部３３と、ＣＰＵ３４と、プログラム記憶部３５と、特定画像情報記憶部３６と、イメージ記憶部３７と、記録部３８と、作業用メモリ３９と、データ入出力部４０とを備え、これらがバス等で接続されている。
【００５８】
画像取得部３１、操作部３２、及び表示部３３は、実施形態１の画像取得部１１，操作部１２及び表示部１３と同様である。
【００５９】
ＣＰＵ３４は、プログラム記憶部３５に記憶されたプログラムに基づいて動作し、デジタルカメラ３０の各部の動作を制御する。ＣＰＵ３４は、さらに、特定の人物の顔を含む画像が取込まれた場合に、その画像から特定の人物の顔の特徴を抽出して、デジタルカメラ３０における画像の記録を禁止する機能を持っている。
【００６０】
特定画像情報記憶部３６はＲＡＭ等で構成され、前述の特定の人物の顔の特徴情報を事前に記憶する。顔の特徴情報としては、顔を構成する各部位の位置、形状、角度等を表すベクトルである。この特定画像情報記憶部３６に、特徴情報を記憶させる方法は、後述する。
【００６１】
イメージ記憶部３７、記録部３８、作業用メモリ３９、及びデータ入出力部４０は、実施形態１のイメージ記憶部１７，記録部１８，作業用メモリ１９，データ入出力部２０と同様に構成されている。
【００６２】
次に、デジタルカメラ３０の動作を説明する。
このデジタルカメラ３０は、画像取得部３１で取込んだ画像に特定の人物の顔の画像が含まれている場合、その画像を含めて以降の撮影ができない状態（撮影禁止の状態）になり、特定のパスワードが入力されたときに撮影が再び可能になる。
【００６３】
デジタルカメラ３０を撮影禁止の状態にするために、特定の人物の顔の特徴情報を事前にデジタルカメラ３０に登録する。また、デジタルカメラ３０の撮影禁止の状態を解除するためのパスワードを事前にデジタルカメラ３０に登録する。これらの顔の特徴情報やパスワードをデジタルカメラ３０に登録する際には、操作部３２を操作して顔の特徴情報やパスワードを登録するモードに設定し、外部からデータ入出力部４０を介して顔の特徴情報を入力すると共に操作部３２を用いたパスワードを入力する。ＣＰＵ３４は、データ入出力部４０から与えられた顔の特徴情報や入力されたパスワードを、特定画像情報記憶部３６に記憶させる。
【００６４】
デジタルカメラ３０で撮影を行う場合、撮影者は操作部３２のボタン等を操作して撮影モードに設定する。以下に、図６を参照して、撮影モードにおけるデジタルカメラ３０の使用方法及び動作を説明する。図６は、撮影モードにおける処理を示すフローチャートである。
【００６５】
画像取得部３１は、レンズによって結像された画像に対応するデジタル信号を出力する。ＣＰＵ３４は画像取得部３１から与えられたデジタル信号に基づき表示部３３のディスプレイを駆動してレンズから入力された画像に相当する画像を表示する。
【００６６】
撮影者は、表示部３３に表示される画像を見ながら操作部３２のシャッタボタンを押下する（ステップＳ２１）。シャッタボタンが押下された時点でレンズを介して入力された画像は、画像取得部３１によってデジタルデータ化され、イメージ記憶部３７に記憶される（ステップＳ２２）。即ち、画像の取込みが行われる。
【００６７】
ＣＰＵ３４は、イメージ記憶部３７に格納された画像に、人の顔と思われる画像が含まれているか否かを判断する（ステップＳ２３）。この判断は、画像中に写っているものの色情報や輪郭等に基づいて総合的に行われる。
【００６８】
イメージ記憶部３７に格納された画像に人の顔と思われる画像が含まれていると判断した場合（ステップＳ２３：ＹＥＳ）、ＣＰＵ３４は、人の顔と思われる部分をイメージ記憶部３７から切り出し作業用メモリ３９に記憶させる。そして、ＣＰＵ３４は、作業用メモリ３９に記憶させた画像について、必要に応じて補正を行う（ステップＳ２４）。
【００６９】
人の顔の画像が取込まれた場合、人の顔が傾いていたり、レンズからの距離により、顔の大きさが不適切になる場合がある。そこで、ＣＰＵ３４は、人の顔の特徴情報を抽出できるように、作業用メモリ３９に記憶された画像を回転させたり、画素の間引きや補間により大きさを補正する。
【００７０】
続いてＣＰＵ３４は、補正された作業用メモリ３９の画像から、顔の特徴情報を抽出する（ステップＳ２５）。顔の特徴情報としては、顔を構成する各部位の位置、形状、角度等を表すベクトルである。
【００７１】
ステップＳ２５での抽出結果が得られたときに、ＣＰＵ３４は、特定画像情報記憶部３６を調べ、その抽出結果が、特定の人の顔の特徴情報に近似しているか否かを判定する（ステップＳ２６）。
【００７２】
ステップＳ２６で近似すると判定した場合（ステップＳ２６：ＹＥＳ）、ＣＰＵ３４は、記録部３８での記録をできない状態にする。即ち、デジタルカメラ３０を撮影禁止の状態に設定する（ステップＳ２７）。このとき、表示部３３に例えば撮影禁止の状態になったことや、その状態を解除するためには、パスワードの入力が必要であることを表示し、撮影者に知らせる。
【００７３】
なお、シャッタボタンの押下で取込んだ画像に、人の顔と思われる画像が含まれていない場合（ステップＳ２３：ＮＯ）、及びステップＳ２６の抽出結果が、特定の人の顔の特徴情報に近似しない場合（ステップＳ２６：ＮＯ）には、デジタルカメラ３０に取込まれてイメージ記憶部３７に記憶されてている画像を記録部３８で記録させる（ステップＳ２８）。
【００７４】
撮影禁止の状態になっているデジタルカメラ３０を、撮影可能の状態に戻す場合には、撮影禁止を解除するためのパスワードを入力すればよい。
【００７５】
図７は、撮影禁止を解除する処理を示すフローチャートである。
撮影禁止の状態になっているデジタルカメラ３０を持った撮影者は、撮影禁止を解除するために操作部３２を操作し、パスワードを入力するモード設定する（ステップＳ４１）。
【００７６】
続いて、撮影者は操作部３２の操作ボタンを操作してパスワードを入力する（ステップＳ４２）。
ＣＰＵ３４は、新たに入力されたパスワードが特定画像情報記憶部３６に既に登録されているパスワードと一致するか否かを判定する（ステップＳ４３）。
新たに入力されたパスワードと既に登録されているパスワードとが一致する場合（ステップＳ４３：ＹＥＳ）、ＣＰＵ３４は、記録部３８で記録をできる状態にする。即ち、デジタルカメラ３０の撮影禁止の状態を解除する（ステップＳ４４）。
【００７７】
新たに入力されたパスワードと既に登録されているパスワードとが一致しない場合（ステップＳ４３：ＮＯ）、ＣＰＵ３４は、表示部３３に撮影禁止の状態が解除されていないことを表示し（ステップＳ４５）、処理を終了する。
以上のように、本実施形態のデジタルカメラ３０には、実施形態１の（２），（６），（７）と同様の効果があると共に、さらに、次のような利点を有する。
【００７８】
（８）  図８には、撮影禁止状態になる画像を示す説明図であり、その中央には、特定の人物が存在する。この特定の人物の顔をデジタルカメラ３０で撮影しようとしても、デジタルカメラ３０が自動的に撮影禁止の状態になり、盗撮が防げる。
【００７９】
（９）  撮影禁止の状態にするための特定の人の顔の特徴情報を登録するだけで、デジタルカメラ３０を撮影禁止の状態にできるので、デジタルカメラ３０を撮影禁止の状態にするための条件の設定が容易である。
【００８０】
（１０）  撮影禁止の状態を解除にするためのパスワードを登録するだけで、撮影禁止の状態のデジタルカメラ３０を解除できるので、撮影禁止を解除するための条件の設定が容易である。
（１１）  撮影禁止の状態にするためにＱＲコードが不要である。
（１２）  撮影禁止の状態を解除するためにＱＲコードが不要である。
【００８１】
（実施形態３）
図９は、本発明の実施形態３に係るデジタルカメラ５０を示す構成図である。
【００８２】
このデジタルカメラ５０は、撮影モードに設定されていても、特定の印鑑の画像を含む画像が取込まれた場合に以降の画像の記録を禁止する機能を持っている。
【００８３】
デジタルカメラ５０の基本的構成は、実施形態１のデジタルカメラ１０と同様であり、画像を取得する画像取得部５１と、操作部５２と、表示部５３と、ＣＰＵ５４と、プログラム記憶部５５と、特定画像情報記憶部５６と、イメージ記憶部５７と、記録部５８と、作業用メモリ５９と、データ入出力部６０とを備え、これらがバス等で接続されている。
画像取得部５１、操作部５２、及び表示部５３は、実施形態１の画像取得部１１，操作部１２及び表示部１３と同様である。
【００８４】
ＣＰＵ５４は、プログラム記憶部５５に記憶されたプログラムに基づいて動作し、デジタルカメラ５０の各部の動作を制御する。ＣＰＵ５４は、さらに、特定の印鑑の画像を含む画像が取込まれた場合に、その特定の印鑑の画像を検出してデジタルカメラ５０における画像の記録を禁止する機能を持っている。
【００８５】
特定画像情報記憶部５６はＲＡＭ等で構成され、前述の特定の印鑑の画像情報を事前に記憶する。
【００８６】
イメージ記憶部５７、記録部５８、作業用メモリ５９、及びデータ入出力部６０は、実施形態１のイメージ記憶部１７，記録部１８，作業用メモリ１９，データ入出力部２０と同様に構成されている。
【００８７】
次に、このデジタルカメラ５０の使用方法及び動作を説明する。
デジタルカメラ５０は、画像取得部５１で取込んだ画像に特定の印鑑の画像が含まれている場合、以降の撮影ができない状態（撮影禁止の状態）になり、特定のパスワードが入力されたときに撮影が再び可能になる。
【００８８】
デジタルカメラ５０を撮影禁止の状態にするために、特定の印鑑の画像情報を事前にデジタルカメラ５０に登録する。また、デジタルカメラ５０の撮影禁止の状態を解除するためのパスワードを事前にデジタルカメラ５０に登録する。
【００８９】
特定の印鑑の画像情報をデジタルカメラ５０に登録する際には、操作部５２を操作し、印鑑の画像情報を入力するモードに設定し、印鑑が押印された紙片にデジタルカメラ５０を対向させてシャッタボタンを押下する。これにより、特定の印鑑の画像がデジタルカメラ５０に取込まれる。ＣＰＵ５４は、デジタルカメラ５０に取込まれた印鑑の画像を特定画像情報記憶部５６に記憶させる。以上により、特定の印鑑の画像情報がデジタルカメラ５０に登録されたことになる。
【００９０】
また、パスワードをデジタルカメラ５０に登録する際には、実施形態２と同様に、パスワードを登録するモードに設定し、操作部５２を操作してパスワードを入力する。ＣＰＵ５４は、入力されたパスワードを、特定画像情報記憶部５６に記憶させる。
【００９１】
デジタルカメラ５０で撮影を行う場合、撮影者は操作部５２の操作ボタン等を操作して撮影モードに設定する。以下に、図１０を参照して、撮影モードにおけるデジタルカメラ５０の動作を説明する。
【００９２】
画像取得部５１は、レンズによって結像された画像に対応するデジタル信号を出力する。ＣＰＵ５４は画像取得部５１から与えられたデジタル信号に基づき表示部５３のディスプレイを駆動してレンズから入力された画像に相当する画像を表示する。
【００９３】
撮影者は、表示部５３に表示される画像を見ながら操作部５２のシャッタボタンを押下する（ステップＳ５１）。シャッタボタンが押下された時点でレンズを介して入力された画像は、画像取得部５１によってデジタルデータ化され、イメージ記憶部５７に記憶される（ステップＳ５２）。即ち、画像の取込みが行われる。
【００９４】
ＣＰＵ５４は、イメージ記憶部５７に格納された画像に、印鑑と思われる画像が含まれているか否かを判断する（ステップＳ５３）。この判断は、画像中に写っているものの色情報や輪郭等に基づいて総合的に行われる。
【００９５】
イメージ記憶部５７に格納された画像に印鑑と思われる画像が含まれていると判断した場合（ステップＳ５３：ＹＥＳ）、ＣＰＵ５４は、印鑑と思われる部分をイメージ記憶部５７から切り出し作業用メモリ５９に記憶させる。そして、ＣＰＵ５４は、作業用メモリ５９に記憶させた画像について、必要に応じて補正を行う（ステップＳ５４）。
【００９６】
印鑑の画像が取込まれた場合、印鑑の押印された撮影対象がレンズの光軸に対して垂直でないために印鑑の画像が変形したり、或いは印鑑が斜めに傾いていたり、画像レンズからの距離により、大きさが不適切になる場合がある。そこで、ＣＰＵ５４は、作業用メモリ５９に記憶された画像を回転させたり、画素の間引きや補間により画像の変形や大きさを補正する。
【００９７】
続いてＣＰＵ５４は、補正された作業用メモリ５９の画像と、特定画像情報記憶部５６に予め登録されている画像との差分を検出する（ステップＳ５５）。
【００９８】
ＣＰＵ５４は、ステップＳ５５での差分の検出結果が所定値よりも少ないか否かを検出する（ステップＳ５６）。即ち、ＣＰＵ５４は、マッチングを行い、特定画像情報記憶部５６の画像と作業用メモリ５９の画像とが近似しているか否かを調べる。
【００９９】
ステップＳ５６で近似すると判定した場合（ステップＳ５６：ＹＥＳ）、ＣＰＵ５４は、記録部５８での記録をできない状態にする。即ち、デジタルカメラ５０を撮影禁止の状態に設定する（ステップＳ５７）。このとき、表示部５３に例えば撮影禁止の状態になったことや、その状態を解除するためには、パスワードの入力が必要であることを表示し、撮影者に知らせる。
【０１００】
なお、シャッタボタンの押下で取込んだ画像に、印鑑と思われる画像が含まれていない場合（ステップＳ５３：ＮＯ）、及びステップＳ５６の抽出結果が、予め登録された画像に近似しない場合（ステップＳ５６：ＮＯ）には、デジタルカメラ５０に取込まれてイメージ記憶部５７に記憶されて画像を適宜を記録部５８で記録させる（ステップＳ５８）。
【０１０１】
撮影禁止の状態になっているデジタルカメラ５０を、撮影可能の状態に戻す場合には、撮影禁止を解除するためのパスワードを入力すればよい。パスワードを入力する手順は、実施形態２と同様であるので、説明を省略する。
以上のように、本実施形態のデジタルカメラ５０には、実施形態１の（２），（６），（７）及び実施形態２の（１０）〜（１２）と同様の効果があると共に、さらに、次のような利点を有する。
【０１０２】
（１３）  図１１には、撮影禁止状態になる画像を示す説明図であり、印鑑が押印された絵画が示されている。その印鑑がデジタルカメラ５０を撮影禁止の状態にするものであれば、デジタルカメラ５０で撮影しようとしても、デジタルカメラ５０が自動的に撮影禁止の状態になり、盗撮が防げる。
【０１０３】
（１４）  撮影禁止の状態にするための特定の印鑑の画像情報を登録するだけで、デジタルカメラ５０を撮影禁止の状態にできるので、デジタルカメラ５０を撮影禁止の状態にするための条件の設定が容易である。
【０１０４】
なお、本発明は、前述した実施形態に限定されるものではなく、実施段階ではその要旨を逸脱しない範囲で種々に変形することが可能である。また、前述した実施形態で実行される機能は可能な限り適宜組合わせて実施してもよい。前述した実施形態には種々の段階の発明が含まれており、開示される複数の構成要件における適宜の組合わせにより種々の発明が抽出され得る。例えば実施形態に示される全構成要件から幾つかの構成要件が削除されても、効果が得られるのであれば、この構成要件が削除された構成が発明として抽出され得る。
【０１０５】
以下に、変形例を示す。
（ａ）  デジタルカメラ１０，３０，５０を撮影禁止の状態に設定する条件は、特定のＱＲコード、特定の人の顔及び特定の印鑑の画像が取込まれた場合ばかりでなく、種々の対象の画像をその条件にすることができる。例えば、撮影禁止の状態に設定する条件を、単に人の顔としてもよい。
【０１０６】
図１２は、撮影禁止の条件の説明図である。
撮影禁止の状態に設定する条件を、単に人の顔とすると、図１２（ａ）のように、デジタルカメラ１０，３０，５０に取込んだ画像に人の顔が写っていれば、デジタルカメラ１０，３０，５０が撮影禁止の状態になる。これに対し、例えば実施形態２のデジタルカメラ３０では、図１２（ｂ），（ｃ）のように、特定の人の顔の画像が取込まれれば撮影禁止の状態になるが、その特定の人の顔の画像が取込まれない場合には、撮影禁止にはならない。
【０１０７】
この場合、デジタルカメラ１０，３０，５０に取込まれた画像から人の顔と思われる部分が抽出できれば、条件を満たすとして撮影禁止の状態になる。よって、例えば実施形態２のステップＳ２４〜Ｓ２６を省くことができる。また、デジタルカメラ１０，３０，５０を撮影禁止の状態にする条件を、デジタルカメラ１０，３０，５０に登録するときでも、画像や特徴情報を入力する必要がなく、操作者の負担の軽減になる。
【０１０８】
（ｂ）  デジタルカメラ１０，３０，５０では、画像やパスワードが撮影禁止の状態から復帰させる条件となっている。これらの画像やパスワードは、操作者等が登録しなくてはならない。そこで、デジタルカメラ１０，３０，５０の機能として、操作部１２，３２，５２に対して所定の操作を行うことで撮影禁止の状態から復帰するようにしてもよい。これにより、登録する手間が省ける。
【０１０９】
（ｃ）  実施形態１では、デジタルカメラ１０を撮影禁止の状態にする条件をＱＲコード上のデータとし、事前にデジタルカメラ１０に登録しているが、この条件をＱＲコードの画像としてもよい。この場合、ＣＰＵ１４は、実施形態３のように、新たに取込まれれた画像と事前に登録された画像とから、デジタルカメラ１０を撮影禁止の状態にする条件を満たしているか否かを検出する。
【０１１０】
（ｄ）  実施形態２において、デジタルカメラ３０を撮影禁止の状態にする条件として、特定の人の顔の特徴情報を事前に登録したが、実施形態３が特定の印鑑の画像情報を事前に登録したように、特定の人の顔の画像情報を事前に登録してもよい。この場合、撮影禁止の状態にする条件を登録する際には、実施形態３と同様にしてデジタルカメラ３０で特定の人の顔の画像を取込む。そして、取込んだ特定の人の顔の画像から特徴情報を抽出して特定画像情報記憶部３６に記憶させる。このようにすると、デジタルカメラ３０を撮影禁止の状態にする条件としての特徴情報を外部で生成する必要がない。その上、デジタルカメラ３０を撮影禁止の状態にする条件としての特徴情報と、デジタルカメラ３０で取込んだ人の顔の画像の特徴情報とが、両方ともデジタルカメラ３０で生成されるので、特徴情報の精度等に不整合が生じない。
【０１１１】
（ｅ）撮影禁止を解除する方法として、データ入出力部２０，４０，６０から信号を入力し、その信号をＣＰＵ１４，３４，５４が撮影禁止を解除する信号として認識したときに、撮影禁止を解除する構成にしてもよい。
【図面の簡単な説明】
【０１１２】
【図１】本発明の実施形態１に係るデジタルカメラの構成図である。
【図２】撮影モードにおける処理を示すフローチャートである。
【図３】撮影禁止を解除する処理を示すフローチャートである。
【図４】ＱＲコードが衣服に印刷された人物を示す図である。
【図５】本発明の実施形態２に係るデジタルカメラの構成図である。
【図６】撮影モードにおける処理を示すフローチャートである。
【図７】撮影禁止を解除する処理を示すフローチャートである
【図８】撮影禁止状態になる画像を示す説明図である。
【図９】本発明の実施形態２に係るデジタルカメラの構成図である。
【図１０】撮影モードにおける処理を示すフローチャートである。
【図１１】撮影禁止状態になる画像を示す説明図である。
【図１２】撮影禁止の条件の説明図である。
【符号の説明】
【０１１３】
１０，３０，５０・・・デジタルカメラ、１１，３１，５１・・・画像取得部、１２，３２，５２・・・操作部、１３，３３，５３・・・表示部、１４，３４，５４・・・ＣＰＵ、１５，３５，５５・・・プログラム記憶部、１６，３６，５６・・・特定画像情報記憶部、１７，３７，５７・・・イメージ記憶部、１８，３８，５８・・・記録部、１９，３９，５９・・・作業用メモリ
【図１】
2007266882.tif 000003
【図２】
2007266882.tif 000004
【図３】
2007266882.tif 000005
【図５】
2007266882.tif 000006
【図６】
2007266882.tif 000007
【図７】
2007266882.tif 000008
【図９】
2007266882.tif 000009
【図１０】
2007266882.tif 000010
【図４】
2007266882.tif 000011
【図８】
2007266882.tif 000012
【図１１】
2007266882.tif 000013
【図１２】
2007266882.tif 000014